(57)【要約】【課題】  グランドピアノにより近いタッチ感を得ることができ、表現力に優れた高い演奏性を得ることができるアップライトピアノのハンマーを提供する。【解決手段】  鍵４の押鍵に伴い回動し、その回動の途中でジャック７が離脱した後、後方の弦Ｓを打弦するアップライトピアノのハンマー１であって、鍵４の押鍵に伴い、ジャック７により突き上げられることによって回動支点２０ｂを中心として回動するバット２０と、バット２０に立設され、上下方向に延びるハンマーシャンク２１と、その上端部に設けられたハンマーヘッド２２と、バット２０から前方に突出するキャッチャーシャンク２３と、その前端部に設けられたキャッチャー２４と、鍵４を押鍵したときのタッチ重さを増大させるために、キャッチャーシャンク２３およびキャッチャー２４の少なくとも一方に取り付けられた錘２６と、を備えている。【選択図】  図２
2006243294.tif 000002
【特許請求の範囲】
【請求項１】
鍵の押鍵に伴い、ジャックで突き上げられることにより回動し、その回動の途中で前記ジャックが離脱した後、後方に張られた弦を打弦することによって演奏音を発生させるアップライトピアノのハンマーであって、
回動支点に回動自在に支持され、離鍵状態において前記ジャックが係合し、前記鍵の押鍵に伴い前記ジャックにより突き上げられることによって前記回動支点を中心として回動するバットと、
当該バットに立設され、上下方向に延びるハンマーシャンクと、
前記弦を打弦するために前記ハンマーシャンクの上端部に設けられたハンマーヘッドと、
前記バットから前方に突出するキャッチャーシャンクと、
当該キャッチャーシャンクの前端部に設けられたキャッチャーと、
前記鍵を押鍵したときのタッチ重さを付与するために、前記キャッチャーシャンクおよび前記キャッチャーの少なくとも一方に取り付けられた錘と、
を備えていることを特徴とするアップライトピアノのハンマー。
【請求項２】
前記錘は、前記キャッチャーシャンクの前端部および前記キャッチャーに取り付けられていることを特徴とする請求項１に記載のアップライトピアノのハンマー。
【請求項３】
前記キャッチャーシャンクおよび前記キャッチャーの前記少なくとも一方には取付け孔が形成され、前記錘は、前記取付け孔に埋設された状態で取り付けられていることを特徴とする請求項１または２に記載のアップライトピアノのハンマー。
【請求項４】
当該ハンマーは、複数の前記鍵ごとに設けられた複数のハンマーで構成され、  前記錘は、前記複数のハンマーにそれぞれ取り付けられており、
前記錘の重さは、所定の音域ごとに、低音域側ほどより大きく設定されていることを特徴とする請求項１ないし３のいずれかに記載のアップライトピアノのハンマー。
【発明の詳細な説明】
【技術分野】
【０００１】
本発明は、鍵の押鍵に伴い、ジャックにより突き上げられることによって回動し、打弦することによって演奏音を発生させるアップライトピアノのハンマーに関する。
【背景技術】
【０００２】
従来のアップライトピアノのハンマーとして、例えば特許文献１に開示されたものが知られている。このハンマーは、バットフレンジに回動自在に取り付けられたバットと、このバットに立設され、上下方向に延びるハンマーシャンクと、このハンマーシャンクの上端部に設けられたハンマーヘッドと、バットから前方に突出するキャッチャーシャンクと、このキャッチャーシャンクの前端部に設けられたキャッチャーとを備えている。また、バットの回動支点よりも若干、前側の部位にはアクションのジャックが下方から係合している。このような構成のハンマーは、一般的なものであり、押鍵に伴い、ジャックによりバットが突き上げられることによって、回動支点を中心として後方に回動する。また、この回動の途中で、ジャックがバットから離脱することにより演奏者にレットオフ感が付与され、ハンマーは、慣性によってそのまま回動し、後方に鉛直に張られた弦を打弦することによって、演奏音を発生させる。
【０００３】
これに対し、グランドピアノでは、そのハンマーは、前端部の回動支点においてハンマーシャンクフレンジに回動自在に取り付けられ、前後方向に延びるハンマーシャンクと、このハンマーシャンクの後端部に設けられたハンマーヘッドとを備えており、回動支点よりも若干、後側の部位には、シャンクローラを介してジャックが下方から対向している。このようなハンマーは、押鍵に伴い、ジャックによりシャンクローラを介して突き上げられ、回動支点を中心として上方に回動する。また、この回動の途中で、ジャックがシャンクローラから離脱することにより演奏者にレットオフ感が付与され、ハンマーは慣性によってそのまま回動し、上方に水平に張られた弦を打弦することによって、演奏音を発生させる。
【０００４】
上記のようなアップライトピアノとグランドピアノのタッチ感を比較すると、図６に示すように、ジャックがハンマーから離脱するときのタッチ重さであるレットオフ荷重は、同図（ｂ）に示すグランドピアノの方が同図（ａ）のアップライトピアノよりも大きい（Ｌ２＞Ｌ１）。これは以下のような理由による。アップライトピアノの場合、ハンマーシャンクが上下方向に延びているため、ハンマーの重心は、回動支点に近い位置にあり、このため、ハンマーの自重による回動支点回りのモーメントは小さい。これに対し、グランドピアノの場合はハンマーシャンクが前後方向に延びているため、ハンマーの重心は、ハンマーの回動支点からかなり遠い位置に位置しており、このため、ハンマーの自重による回動支点回りのモーメントは、アップライトピアノよりも大きい。このようなモーメントの差が、ジャックがハンマーから離脱するときの反力、すなわちレットオフ荷重の差になるためである。このようなレットオフ荷重の差異が、アップライトピアノとグランドピアノの間のタッチ特性の大きな差異の１つとなっている。
【０００５】
したがって、レットオフの前後のタッチ重さの変化量もまた、グランドピアノの方が大きく、その結果、グランドピアノでは明確なレットオフ感を得られるのに対し、アップライトピアノでは、タッチ重さの変化量が小さく、レットオフ感がグランドピアノよりも不明瞭になる。このため、アップライトピアノの演奏者は、グランドピアノの場合と比較して、レットオフのタイミングを把握し難く、レットオフ直前のタッチコントロール、すなわちハンマーの打弦速度の微妙な調整が難しいので、このことが、アップライトピアノがグランドピアノよりも表現力に乏しく演奏性が低い原因になっている。
【０００６】
また、両ピアノとも、低音域と高音域の間でハンマーの重量が変化しており、低音側ほど重く、また高音側ほど軽くなっている。しかし、前述したようなハンマーの回動支点回りのモーメントの差異に起因し、グランドピアノではハンマーの重量の差がタッチ感に大きく反映され、低音域は重く、また高音域は軽いタッチ重さが得られる一方、アップライトピアノでは、低音域と高音域の間でタッチ重さの差異がほとんどない。
【０００７】
本発明は、上記のような課題を解決するためになされたものであり、グランドピアノにより近いタッチ感を得ることができ、表現力に優れた高い演奏性を得ることができるアップライトピアノのハンマーを提供することを目的としている。
【０００８】
【特許文献１】特開平６−２７９３４号公報  （第３頁、第１図）
【発明の開示】
【課題を解決するための手段】
【０００９】
上記の目的を達成するために、本発明の請求項１に係る発明は、鍵の押鍵に伴い、ジャックで突き上げられることにより回動し、その回動の途中で前記ジャックが離脱した後、後方に張られた弦を打弦することによって演奏音を発生させるアップライトピアノのハンマーであって、回動支点に回動自在に支持され、離鍵状態においてジャックが係合し、鍵の押鍵に伴いジャックにより突き上げられることによって回動支点を中心として回動するバットと、バットに立設され、上下方向に延びるハンマーシャンクと、弦を打弦するためにハンマーシャンクの上端部に設けられたハンマーヘッドと、バットから前方に突出するキャッチャーシャンクと、キャッチャーシャンクの前端部に設けられたキャッチャーと、鍵を押鍵したときのタッチ重さを付与するために、キャッチャーシャンクおよびキャッチャーの少なくとも一方に取り付けられた錘と、を備えていることを特徴とする。
【００１０】
このアップライトピアノのハンマーは、鍵の押鍵に伴い、バットがジャックにより突き上げられることによって、回動支点を中心として後方の弦に向かって回動する。この回動の途中で、ジャックがバットから離脱し、それにより、ハンマーの重量分がタッチ重さから急激に失われることによって、演奏者にレットオフ感が付与される。また、バットから前方に、すなわち弦とは逆側に突出するキャッチャーシャンクとその前端部に設けられたキャッチャーの少なくとも一方には、錘が取り付けられており、この錘により、ハンマーが押鍵により回動する方向と逆方向のモーメントが、回動支点回りに作用する。
【００１１】
このように、錘によって回動支点回りのモーメントが増大されることにより、押鍵したときのハンマーからの反力が増大し、それにより、より大きなタッチ重さが得られる。また、回動支点回りのモーメントが増大している分、従来のハンマーの場合よりも、ジャックがハンマーから離脱するレットオフ直前のレットオフ荷重も増大し、その結果、レットオフ前後のタッチ重さの変化量を大きくすることができる。それにより、演奏者は、グランドピアノに近似した明確なレットオフ感を得ることができる。したがって、このアップライトピアノでは、レットオフのタイミングを把握しやすいことにより、タッチの強弱のコントロールよるハンマーの打弦スピードのコントロールが容易になり、表現力に優れた高い演奏性を実現することができる。
【００１２】
また、キャッチャーシャンクは、バットから前方に延びており、キャッチャーシャンクおよびキャッチャーは、ジャックがバットに係合する部位よりも回動支点から遠い位置に位置している。したがって、このような位置関係のキャッチャーシャンクおよび／またはキャッチャーに錘を取り付けることによって、錘による回動支点回りのモーメントを効果的に増大させることができ、それにより付加されるタッチ重さやレットオフ荷重を効果的に得ることができる。その結果、従来、鍵に設けられている錘を減量または省略することができる。また、キャッチャーおよびキャッチャーシャンクは、打弦後に復帰回動するハンマーをバックチェックに係止するために通常、設けられるものである。したがって、このような既存の構成部品を利用し、錘を取り付けるだけで、本発明によるハンマーを容易かつ安価に構成することができる。
【００１３】
請求項２に係る発明は、請求項１に記載のアップライトピアノのハンマーにおいて、錘は、キャッチャーシャンクの前端部およびキャッチャーに取り付けられていることを特徴とする。
【００１４】
この構成によれば、錘がキャッチャーシャンクの前端部およびキャッチャーの双方に、すなわち、回動支点から可能な限り遠い位置に配置されているので、錘による回動支点回りのモーメント、およびそれにより付加されるタッチ重さやレットオフ荷重などを、より効果的に得ることができる。
【００１５】
請求項３に係る発明は、請求項１または２に記載のアップライトピアノのハンマーにおいて、キャッチャーシャンクおよびキャッチャーの少なくとも一方には取付け孔が形成され、錘は、取付け孔に埋設された状態で取り付けられていることを特徴とする。
【００１６】
この構成によれば、錘は、キャッチャーシャンクおよび／またはキャッチャーに形成された取付け孔に埋設された状態で取り付けられている。それにより、ハンマー自体やアクションなどの既存の構成部品の動作が、錘によって妨げられることがなく、したがって、ハンマーやアクションなどのスムーズな動作を確保することができる。
【００１７】
請求項４に係る発明は、請求項１ないし３のいずれかに記載のアップライトピアノのハンマーにおいて、ハンマーは、複数の鍵ごとに設けられた複数のハンマーで構成され、錘は、複数のハンマーにそれぞれ取り付けられており、錘の重さは、所定の音域ごとに、低音域側ほどより大きく設定されていることを特徴とする。
【００１８】
この構成では、錘は、複数のハンマーにそれぞれ取り付けられており、錘の重さは、所定の音域ごとに、低音側ほどより大きな値に設定されている。それにより、回動支点回りのモーメント、およびそれによって付加されるタッチ重さを、低音側では大きく、高音側では小さいという、グランドピアノの音域に応じたタッチ重さの特性を得ることができる。
【発明を実施するための最良の形態】
【００１９】
以下、本発明の好ましい実施形態を、図面を参照しながら詳細に説明する。図１は、本発明の第１実施形態によるアップライトピアノのハンマー１、鍵盤２およびアクション３などを、離鍵状態において示している。なお、以下の説明では、演奏者側から見たときのアップライトピアノの手前側を「前」、奥側を「後」として説明する。鍵盤２は、左右方向（図１の奥行方向）に並んだ多数の鍵４（１つのみ図示）によって構成されている。各鍵４は、前後方向（図１の左右方向）のほぼ中央において、筬５に立設されたバランスピン５ａを支点として回動自在に支持されている。
【００２０】
アクション３は、鍵盤２の後端部の上方において、筬５の左右端部にそれぞれ設けたブラケット（図示せず）に取り付けられ、両ブラケットの間に設けられている。アクション３は、ウィッペン６やジャック７などを有していて、これらは、鍵４ごとに設けられている（ともに１つのみ図示）。左右のブラケットの間には、センターレール１６およびハンマーレール１７などが渡されており、このセンターレール１６に、ウィッペンフレンジ１２およびバットフレンジ２５が鍵４ごとにねじ止めされている（ともに１つのみ図示）。そして、ウィッペン６が後端部において、ウィッペンフレンジ１２に、そのピン状の支点６ｂを介して回動自在に支持されている。また、ハンマー１が下端部において、バットフレンジ２５にピン状の支点２０ｂ（回動支点）を介して回動自在に支持されている。
【００２１】
ウィッペン６は、例えば、合成樹脂や木材によって所定の形状に形成されており、その前部から下方に突出するヒール部６ａを有していて、対応する鍵４の上面後端部に設けたキャプスタンボタン４ａに、ヒール部６ａを介して載置されている。また、ウィッペン６の上面前端部には、バックチェックワイヤ９ａが立設されていて、その先端部にバックチェック９が取り付けられている。また、ウィッペン６の上面後端部には、後述するダンパー２７を駆動するためのスプーン１１が立設されている。また、このスプーン１１のすぐ前方には、前述したウィッペンフレンジ１２が配置されており、このウィッペンフレンジ１２は、その上部においてセンターレール１６に固定されている。
【００２２】
ジャック７は、例えば、合成樹脂により構成されており、射出成形によって一体成形されている。ジャック７は、前後方向に延びる基部７ａと、基部７ａの後端部から上方に延びるハンマー突上げ部７ｂを有している。このようなジャック７は、その基部７ａとハンマ突上げ部７ｂとの角部において、ウィッペン６のバックチェックワイヤ９ａよりも後方の位置に、ピン状の支点７ｃを介して回動自在に支持されている。また、基部７ａとウィッペン６の間には、ジャックスプリング１０が取り付けられている。このジャックスプリング１０は、コイルばねで構成され、押鍵時に、後述するようにジャック７を付勢するためのものであり、所定のばね定数を有している。
【００２３】
以上のようなアクション３の重量により、ウィッペン６のピン状の支点６ｂ回りには、ジャック７やウィッペン６などの重量による図１の時計方向のモーメントが作用している。また、ジャック７の基部７ａの上方には、レギュレティングボタン１３が設けられている。このレギュレティングボタン１３は、センターレール１６に設けられた複数のレギュレティングブラケット１４と、その前端部に取り付けられ、左右方向に延びるレギュレティングレール１５とを介して、鍵４ごとに設けられている（１つのみ図示）。
【００２４】
ハンマー１もまた、鍵４ごとに設けられており（１つのみ図示）、図２に示すように、バット２０、ハンマーヘッド２２およびキャッチャー２４などを備えている。バット２０は、例えば合成樹脂により所定の形状に形成されており、その下端部において、前述したバット２０の支点２０ｂに回動自在に支持されていて、それにより、ハンマー１が回動自在になっている。また、バットフレンジ２５は、その下端部においてセンターレール１６に固定されている。
【００２５】
バット２０の上面には、ハンマーシャンク２１が立設されている。このハンマーシャンク２１は、断面円形の細長い棒状に形成され、上下方向に延びていて、その上端部にハンマーヘッド２２が設けられている。ハンマーヘッド２２は、ハンマーウッド２２ａおよびハンマーフェルト２２ｂを有しており、後方に鉛直に張られた弦Ｓに対向している。ハンマーウッド２２ａは、ハンマーシャンク２１から後方に斜め上方に延びており、その後部はテーパ状に薄くなっている。このテーパ部には、ハンマーフェルト２２ｂが巻かれており、押鍵時には、このハンマーフェルト２２ｂが弦Ｓを打弦する。
【００２６】
また、バット２０には、キャッチャーシャンク２３が設けられている。このキャッチャーシャンク２３は、所定の径を有する断面円形の棒状に形成され、バット２０の前面から前方に斜め下方に延びている。キャッチャー２４は、キャッチャーシャンク２３の前端部に設けられており、前方のバックチェック９に対向している。このキャッチャー２４はブロック状に形成されており、その前面には、例えば繊維材料で構成されたキャッチャースキン２４ａが貼り付けられている。
【００２７】
キャッチャー２４の中央には、これを左右方向に貫通する取付け孔２４ｂが形成されている。この取付け孔２４ｂは、例えば断面円形に形成されており、図示しないが、その径は鍵４の音域間で異なっている。例えば、この取付け孔２４ｂの径は、所定の低音域、中音域および高音域ごとに、それぞれの所定の値に設定されており、低音域のものが最も大きく、高音域のものが最も小さい。
【００２８】
この取付け孔２４ｂには、錘２６が取り付けられている。この錘２６は、例えば、鉄、真鍮、鉛やタングステンなどの比重の大きな金属で構成されており、音域ごとに、それぞれの取付け孔２４ｂの径よりもわずかに大きな径の円柱状に形成されている。すなわち、錘２６の重さは、低音域用のものが最も重く、高音域用のものが最も軽い。このような錘２６は、取付け孔２４ｂに圧入され、キャッチャー２４に埋設された状態で取り付けられている。
【００２９】
以上のようなハンマー１の構成により、支点２０ｂ回りには、錘２６の重量が付加されたハンマー１の重量による時計方向のモーメントが作用している。また、バット２０とハンマーシャンク２１の間には、バットスプリング２０ａが設けられており、これにより、ハンマー１が時計方向に付勢されている。離鍵状態では、ハンマー１は、このモーメントおよび付勢力によって時計方向に回動していて、ジャック７のハンマー突上げ部７ｂが、バット２０の下面の前端部で構成される被突上げ部２０ｃに下方から係合した状態で、静止している。
【００３０】
また、アクション３の後方には、ダンパー２７が鍵４ごとに設けられている（１つのみ図示）。ダンパー２７は、センターレール１６に取り付けられたダンパーフレンジ２７ｂに、ピン状の支点２７ｆを介して回動自在に取り付けられたダンパーレバー２７ｃと、ダンパーレバー２７ｃの上側にダンパーワイヤ２７ｄを介して取り付けられたダンパーヘッド２７ａと、ダンパー２７を弦Ｓ側に付勢するダンパーレバースプリング２７ｅなどで構成されている。このダンパー２７は、離鍵時に、ダンパーレバースプリング２７ｅの付勢力によって、ダンパーヘッド２７ａが弦Ｓに当接することにより止音するためのものである。
【００３１】
以下、上述したアクション３およびハンマー１などの押鍵の開始から終了までの一連の動作について、図３に示す静的タッチ特性グラフを参照しながら説明する。演奏者により、図１の離鍵状態から鍵４が押鍵されると、その押鍵力によって、鍵４は、バランスピン５ａを中心として図１の時計方向に回動し、その後端部に載置されたウィッペン６は、鍵４によって突き上げられることにより、上方（反時計方向）に回動する。このウィッペン６の回動に伴い、ウィッペン６に設けられたジャック７およびバックチェック９などが一緒に移動し、ハンマー１は、そのバット２０がジャック７のハンマー突上げ部７ｂによって突き上げられることにより、後方の弦Ｓに向かって反時計方向に回動する。
【００３２】
すなわち、押鍵力が、鍵４を介してウィッペン６に作用することにより、アクション３がウィッペン６の支点６ｂ回りのモーメントに抗して回動するとともに、鍵４、ウィッペン６およびジャック１１を介してハンマー１に作用することにより、ハンマー１が、バット２０の支点２０ｂ回りのモーメントに抗して回動する。このとき、ハンマー１、アクション３および鍵４のそれぞれの支点２０ｂ，６ｂおよび５ａ回りのモーメントに応じた反力が、タッチ重さとして演奏者に付与される。
【００３３】
押鍵の開始直後には、タッチ重さはほぼ一定のまま推移する（図３の区間Ａ）。なお、本実施形態においては、ハンマー１のキャッチャー２４に錘２６が付加されているため、その分、支点２０ｂ回りのモーメントが大きくなっており、タッチ重さが全体的に大きくなっている。
【００３４】
押鍵後、ウィッペン６が所定の角度まで、回動すると、ウィッペン６の後端部に設けたスプーン１１が、ダンパーレバー２７ｃの下端部に当接することによって、ダンパーレバー２７ｃをダンパーレバースプリング２７ｅの付勢力に抗して時計方向に回動させる。これにより、ダンパーヘッド２７ａが弦Ｓから離れ、弦Ｓが振動可能な状態になる。このようにスプーン１１がダンパーレバー２７ｃを回動させる間は、ダンパーレバースプリング２７ｃの付勢力の分、押鍵の開始直後よりもタッチ重さが若干、大きくなる（区間Ｂ）。
【００３５】
ウィッペン６がさらに所定の角度まで、回動すると、ジャック７の基部７ａの前端部が、レギュレティングボタン１３に下方から当接する。これにより、ジャック７は、レギュレティングボタン１３により上方への移動が規制されることによって、ウィッペン６に対し、ジャックスプリング１０の付勢力に抗して時計方向に回動しようとする。このとき、ハンマー１の支点２０ｂ回りにハンマー１の重量によるモーメントに応じた反力が生じ、この反力が、ジャック７のハンマー突上げ部７ｂがバット２０から抜けるまでの間、増大することによって、タッチ重さが急激に増大する（区間Ｃ）。なお、本実施形態では、ハンマー１のキャッチャー２４に錘２６が付加されているため、その分、支点２０ｂ回りのモーメントが大きくなっており、それに応じてこのときのタッチ重さもより大きく増大する。
【００３６】
そして、ハンマー突上げ部７ｂがバット２０から前方に外れ（レットオフ）、ハンマー１から離脱することにより、ジャック７がウィッペン６に対して時計方向に回動する。このレットオフにより鍵４のタッチ重さからハンマー１の重量分が急激に失われることにより、タッチ重さが急激に低下する（区間Ｄ）。これにより、演奏者にレットオフ感が付与される。ハンマー１は、ジャック７が離脱した後も慣性によって回動し、弦Ｓを打弦し、弦Ｓを振動させることによって演奏音を発生させる。そして、ハンマー１は、弦Ｓの反発力によって、時計方向への復帰回動を開始する。
【００３７】
一方、鍵４の前端部が筬５のフロントレール（図示せず）に当接し、押鍵が終了することで、それ以上の鍵４の回動が不可能になると、筬５からの反力によって、タッチ重さは急激に増大する（区間Ｅ）。
【００３８】
打弦後、ハンマー１は、時計方向に復帰回動し、その途中において、ウィッペン６と一緒に上方に移動しているバックチェック９にキャッチャー２４が当接することによって、係止される。それにより、ハンマー１のバックストップが行われ、その復帰回動が一旦、停止することによってハンマー１のリバウンドが防止される。
【００３９】
押鍵が終了し、鍵４が離鍵されるのに伴い、ハンマー１の係止状態が解除され、それにより、ハンマー１は復帰回動を再開する。また、これと並行して、鍵４およびアクション３なども復帰回動することにより、図１に示す離鍵状態に復帰し、押鍵時および離鍵時の一連の動作が終了する。
【００４０】
以上のように、本実施形態によれば、錘２６によって支点２０ｂ回りのモーメントが増大することにより、押鍵したときのハンマー１からの反力が増大し、それにより、より大きなタッチ重さが得られる。また、支点２０ｂ回りのモーメントが増大している分、従来のハンマーの場合よりもレットオフ直前のレットオフ荷重も増大し、その結果、レットオフ前後のタッチ重さの変化量を大きくすることができる。それにより、演奏者は、グランドピアノに近似した明確なレットオフ感を得ることができる。したがって、このアップライトピアノでは、レットオフのタイミングを把握しやすいことにより、タッチの強弱のコントロールによるハンマーの打弦スピードのコントロールが容易になり、表現力に優れた高い演奏性を実現することができる。
【００４１】
また、キャッチャー２４は、ジャック７がバット２０に係合する被突上げ部２０ｃよりも支点２０ｂから遠い位置に位置している。したがって、このような支点２０ｂから遠いキャッチャー２４に錘２６を取り付けることによって、錘２６による支点２０ｂ回りのモーメントを効果的に付加することができ、それにより付加されるタッチ重さやレットオフ荷重を効果的に得ることができる。その結果、従来、鍵に設けられている錘を減量または省略することができる。また、キャッチャー２４は、打弦後に復帰回動するハンマー１をバックチェック９に係止するために、通常、設けられるものである。したがって、このような既存の構成部品を利用し、錘２６を取り付けるだけで、本発明によるハンマー１を、容易かつ安価に構成することができる。
【００４２】
また、錘２６は、ハンマー１ごとに取り付けられており、錘２６の重さは、低音域では最も大きく、高音域では最も軽く設定されている。それにより、支点２０ｂ回りのモーメント、およびそれによって付加されるタッチ重さを、低音側では大きく、高音側では小さいという、グランドピアノの音域に応じたタッチ重さの特性を得ることができる。
【００４３】
さらに、錘２６は、キャッチャー２４に形成された取付け孔２４ｂに埋設された状態で取り付けられている。それにより、錘２６によってハンマー１自体やアクション３などの構成部品の動作が妨げられることがなく、したがって、ハンマー１やアクション３などのスムーズな動作を確保することができる。
【００４４】
図４は、第２実施形態によるハンマー３０を示している。第１実施形態では、錘２６がキャッチャー２４に取り付けられているのに対し、本実施形態では、キャッチャーシャンクに錘が取り付けられている点のみが異なっている。以下、第１実施形態のハンマー１と共通する構成部品については同じ符号を付し、この相違点を中心として説明する。
【００４５】
このハンマー３０のキャッチャーシャンク３１は、バット２０から斜め下方に延びており、その前端部には、バックチェック９と対向するようにキャッチャー３２が設けられている。また、キャッチャーシャンク３１には、その前端部、中央および後端部に計３つの取付け孔３１ａが形成されており、各取付け孔３１ａは、キャッチャーシャンク３１を左右方向に貫通している。取付け孔３１ａの断面は、例えば円形に形成されており、その径は音域ごとに異なっていて、例えば、低音域のものが最も大きく、高音域のものが最も小さい（図示せず）。また、各取付け孔３１ａには、錘３３が取り付けられている。
【００４６】
錘３３は、第１実施形態と同様の材料で構成されており、音域ごとに異なる取付け孔３１ａの径に応じ、取付け孔３１ａよりもわずかに大きな径を有する円柱状に形成されている。また、錘３３は、取付け孔３１ａに圧入され、キャッチャーシャンク３１に埋設された状態で取り付けられている。他の構成は第１実施形態のハンマー１と同様である。
【００４７】
以上ように、本実施形態によれば、計３つの錘３３がバット２０から前方に延びるキャッチャーシャンク３１に取り付けられているので、図３と同様の静的タッチ特性を得ることができ、第１実施形態による前述した効果を同様に得ることができる。
【００４８】
図５は、第３実施形態によるハンマー４０を示している。本実施形態は、第１および第２実施形態と比較し、キャッチャーシャンクとキャッチャーの双方に錘を取り付けた点のみが異なっている。以下、第１実施形態のハンマー１と共通する構成部品については同じ符号を付し、この相違点を中心として説明する。
【００４９】
このハンマー４０のバット２０から前方に延びるキャッチャーシャンク４１の前端部には、キャッチャー２４が設けられている。第１実施形態と同様に、キャッチャー２４には、取付け孔２４ａが形成されており、この取付け孔２４ａには、錘２６が埋設された状態で取り付けられている。
【００５０】
キャッチャーシャンク４１には、その前端部でキャッチャー２４のすぐ後方の部位に、取付け孔４１ａが形成されており、この取付け孔４１ａには、錘４２が取り付けられている。これらの取付け孔４１ａや錘４２の構成は、前述した第２実施形態と同様である。
【００５１】
以上の構成から明らかなように、本実施形態によれば、図３と同様の静的タッチ特性を得ることができ、第１および第２実施形態による前述した効果を得ることができる。また、錘４２，２６がそれぞれキャッチャーシャンク４１の前端部およびキャッチャー２４に、すなわち、支点２０ｂから可能な限り遠い位置に配置されているので、錘４２，２６による支点２０ｂ回りのモーメント、およびそれにより付加されるタッチ重さやレットオフ荷重などを、より効果的に得ることができる。
【００５２】
なお、本発明は、説明した実施形態に限定されることなく、種々の態様で実施することができる。例えば、上述した各実施形態では、キャッチャーシャンクおよび／またはキャッチャーに形成した取付け孔に錘を埋設しているが、これに限定されることなく、他の構成部品の動作の妨げにならない限り、キャッチャーシャンクおよび／またはキャッチャーに錘を外付けしてもよい。また、各実施形態では、音域を低音域、中音域および高音域の計３つの音域に区分し、音域間で互いに異なる重さの錘を取り付けることによって、タッチ重さを音域間で異ならせているが、これに限定されることなく、例えば、音域をより細分化し、錘の重さも音域に応じてより細かく設定することによって、タッチ重さの特性をよりきめ細かく設定してもよい。
【００５３】
さらに、キャッチャーシャンクおよび／またはキャッチャーに取り付ける錘の数、重さや材質を、実施形態に例示したものに限定されることなく、必要な鍵４のタッチ重さに応じて適宜、変更してもよい。その他、細部の構成を、本発明の趣旨の範囲内で適宜、変更することが可能である。
【図面の簡単な説明】
【００５４】
【図１】アップライトピアノの第１実施形態によるハンマーおよびアクションなどを、離鍵状態において示す側面図である。
【図２】図１のハンマーを示す斜視図である。
【図３】図１の鍵を押鍵したときの静的タッチ特性を示す図である。
【図４】第２実施形態によるハンマーを示す斜視図である。
【図５】第３実施形態によるハンマーを示す斜視図である。
【図６】従来のアップライトピアノ（ａ）とグランドピアノ（ｂ）の静的タッチ特性をそれぞれ概略的に示す図である。
【符号の説明】
【００５５】
１    ハンマー
４    鍵
７    ジャック
２０    バット
２０ｂ  支点（回動支点）
２１    ハンマーシャンク
２２    ハンマーヘッド
２３    キャッチャーシャンク
２４    キャッチャー
２４ｂ  取付け孔
２６    錘
３０    ハンマー
３１    キャッチャーシャンク
３１ａ  取付け孔
３２    キャッチャー
３３    錘
４０    ハンマー
４１    キャッチャーシャンク
４１ａ  取付け孔
４２    錘
Ｓ    弦
【図１】
2006243294.tif 000003
【図２】
2006243294.tif 000004
【図３】
2006243294.tif 000005
【図４】
2006243294.tif 000006
【図５】
2006243294.tif 000007
【図６】
2006243294.tif 000008